(57)【要約】【課題】ペットにとってより快適で信頼性の高いペット用防音室を提供する。【解決手段】本発明のペット用防音室１は、停電によって強制換気用のファン３０が停止すると、まずラッチ解除プッシュロッド２４が前方へ突出し、ラッチ１５とラッチ受け１６との係合を解除する。次に、ラッチ解除プッシュロッド２４に少し遅れて扉開放プッシュロッド２５が前方へ突出することで、ラッチを解除した親扉１３を内側から押圧して親扉１３を開放する。こうして、停電時にファン３０が停止して防音室内の強制換気が行われなくなった場合であっても、親扉１３を開放することで防音室内の快適性を保つのに十分な換気量を自然換気によって確保することができる。また、防音室内に対して音楽等の音声を出力するためのスピーカ３１と、スピーカ３１とオーディオ装置とを接続するためのスピーカジャック３３とを備えることができる。【選択図】  図１
2006158271.tif 000002
【特許請求の範囲】
【請求項１】
防音機能を備えた部材で構成され、少なくとも側壁、屋根、床、扉を有する箱体の防音室本体と、
前記防音室本体の室内に対してファンによる強制換気を行う換気設備と
を備えるペット用防音室であって、
前記防音室本体に設けられ、常時は閉じていて前記室内を自然換気するときに開放するための換気口である可開部と、
所定の異常時開放条件を検出する検出手段と、
前記検出手段が前記異常時開放条件を検出したときに、前記可開部を開放する開放手段とを備えること
を特徴とするペット用防音室。
【請求項２】
請求項１に記載のペット用防音室において、
前記可開部は、前記防音室本体が備える前記扉であること
を特徴とするペット用防音室。
【請求項３】
請求項１又は請求項２に記載のペット用防音室において、
前記異常時開放条件は、前記換気設備のファンを駆動するための電源の供給が停止した場合であること
を特徴とするペット用防音室。
【請求項４】
請求項１又は請求項２に記載のペット用防音室において、
前記異常時開放条件は、前記換気設備のファンが故障により停止した場合であること
を特徴とするペット用防音室。
【請求項５】
請求項１又は請求項２に記載のペット用防音室において、
前記異常時開放条件は、室内の温度が所定値以上になった場合であること
を特徴とするペット用防音室。
【請求項６】
請求項１ないし請求項５の何れか１項に記載のペット用防音室において、
前記換気設備のファンの近傍に設けられ、前記室内に対して音声を出力するためのスピーカと、
前記スピーカと外部のオーディオ装置とを音声出力可能に接続するための端子とを備えること
を特徴とするペット用防音室。
【発明の詳細な説明】
【技術分野】
【０００１】
本発明は、ペット用防音室に関し、特に、快適性及び信頼性を向上させるための技術に関する。
【背景技術】
【０００２】
近年、犬や猫等のペットと人との共生に対する関心が高まっている。このような情勢に対応して、室内でペットの飼育が可能なマンション等の集合住宅も増えつつあり、室内でペットを飼育する機会が多くなっている。室内でペットを飼育する場合、ペットの鳴き声等によって近隣へ迷惑をかけないように、防音機能を有するペット用のハウスであるペット用防音室等が用いられる。
【０００３】
例えば、特許文献１には、防音機能を有する部材で構成されたペット用防音室が開示されている。このペット用防音室は、本体が防音機能を有する天井、床、壁面、扉で構成されており、さらに本体内部に対して吸気・排気を行う換気設備を備えている。即ち、防音性能を高めるために本体の機密性が高くなっているため、換気設備によって強制的に室内の換気を行うことで室内の快適性を保っている。この換気設備は、屋根内に設置したファンによって室内の給排気を行うものである。通常、この換気設備は一般用コンセント等から供給される商用電源によって作動する。
【特許文献１】特開２００３−３１９７２７号公報
【発明の開示】
【発明が解決しようとする課題】
【０００４】
しかしながら、商用電源によって換気設備を運転していると、停電時にファンが停止してしまうおそれがある。また、ファンの故障時にも換気設備が停止してしまうおそれがある。このような場合、ペット用防音室のような機密性の高い室内では換気が十分に行われないため、中にいるペットの体温等の室内の温度や湿度が上昇したり酸素濃度が低下したりして、室内の快適性が損なわれ、不快な状態に陥るおそれがある。しかし、ペット用防音室内にいるペットは、室内が不快な状態にあったとしても、自ら異常を察知し何らかの対策を講じて換気を行うといった知的な行動をすることができない。また、飼い主の外出中に停電・故障等によって換気設備が作動しなくなるかもしれないと考えると、飼い主にとって非常に心配である。そこで、ペットにとってより快適で、且つ、飼い主にとって安心で信頼性の高いペット用防音室の開発が望まれていた。
【０００５】
一方、本来自然環境で生活していた動物をペットとして人工的な室内で飼うことによって、ペットにストレスが溜まっていることが考えられる。また、ペット用防音室内には屋根に備えられたファンの作動音が聞こえているため、ペットを防音室に入れてやるとその騒音が気になりペットが落ち着けずに、ストレスが溜まってしまうことも考えられる。そこで、ペットのストレスを解消することができる快適なペット用防音室の開発が望まれていた。
【０００６】
本発明は、上記のような課題を鑑みなされており、ペットにとってより快適、且つ、信頼性の高いペット用防音室を提供することを目的とする。
【課題を解決するための手段】
【０００７】
上記課題を解決するためになされた請求項１に記載のペット用防音室は、防音機能を備えた部材で構成され、少なくとも側壁、屋根、床、扉を有する箱体の防音室本体と、防音室本体の室内に対してファンによる強制換気を行う換気設備とを備えるペット用防音室であって、防音室本体に設けられ、常時は閉じていて室内を自然換気するときに開放するための換気口である可開部と、所定の異常時開放条件を検出する検出手段と、検出手段が異常時開放条件を検出したときに、可開部を開放する開放手段とを備えることを特徴とする。
【０００８】
このように構成された請求項１に記載のペット用防音室によれば、所定の異常時において可開部を開放することで自然換気を行い、防音室内をより快適に保つことができる。ここでいう所定の異常時とは、不可抗力により換気設備が停止した場合や室内の温度が異常に上昇した場合等、防音室内の快適性を保つために自然換気が必要と判断される状況を想定することが望ましい。
【０００９】
なお、ここでいう可開部とは、常時は閉じていて自然換気が必要な場合に開放するための換気口であり、具体的には、防音室本体の側壁に設けた窓やペットが出入りするための扉を利用してもよいし、専用の換気口を設けたり屋根を換気可能に開放したりしてもよい。例えば、請求項２に記載のペット用防音室のように、可開部としてペットが出入りするための扉を利用すれば、換気に必要な開口を大きくとることができ、また換気口を別途設ける必要がなく好適である。
【００１０】
一方、請求項３に記載のペット用防音室のように、異常時開放条件が換気設備のファンを駆動するための電源の供給が停止した場合であるように構成してもよい。即ち、この構成は、換気設備の電源を一般用コンセントから供給するような場合、停電によって換気設備が停止した場合に可開部を開放して自然換気を行うものである。これによって、ペットにとってより快適で且つ、飼い主にとって安心できる信頼性の高いペット用防音室を提供することができる。
【００１１】
また、請求項４に記載のペット用防音室のように、異常時開放条件が換気設備のファンが故障した場合であるように構成してもよい。即ち、この構成は、ファンの故障によって換気設備が停止場合に可開部を開放して自然換気を行うものである。具体的には、ファンの回路にサーマルリレーを設置し、ファンの故障によりサーマルリレーが作動した場合に可開部を開放するとよい。
【００１２】
また、請求項５に記載のペット用防音室のように、異常時開放条件が室内の温度が所定値以上になった場合であるような構成にしてもよい。即ち、この構成は、換気設備の作動時又は停止時に関わらず室内の温度が所定値異常になった場合に可開部を開放して自然換気を行うものである。これによれば、例えば、夏季において換気設備が作動しているにもかかわらず外気温やペットの体温の影響で防音室内の温度が上昇し、ペットにとって不快な温度になってしまうような場合に、換気設備による換気だけでなく自然換気も行うことで防音室内の快適性を保つことができる。
【００１３】
ところで、本来自然な環境で生活していた動物をペットとして人工的な室内で飼うことによって、ペットには多くのストレスがかかっていると考えられる。ストレスに起因する疾患に対する懸念は人間だけにあるものではなく、ペットも例外ではない。また、ストレスに起因するペットの問題行動等もよく知られている。従って、人間だけでなくペットにもストレス解消のためのリラクゼーションが必要であるとの認識が高まっている。
【００１４】
そこで、請求項６に記載のペット用防音室は、換気設備のファンの近傍に設けられ、室内に対して音声を出力するためのスピーカと、スピーカと外部のオーディオ装置とを音声出力可能に接続するための端子とを備えることを特徴とする。
【００１５】
このように、ペット用防音室にスピーカ及びスピーカとオーディオ装置とを接続する端子を設けたことで、オーディオ装置で再生した音楽等をペットに聴かせてやることができる。なお、スピーカが接続されるオーディオ装置としては、ＣＤ・ＭＤプレーヤ、半導体メモリを用いた音楽プレーヤ、ラジオ、マイク及びアンプ等、何れであってもよい。
【００１６】
例えば、ペットとその飼い主とが共にリラックスできる音楽を収録した音楽用ＣＤを再生してペット用防音室で聴かせてやることで、ペットをリラックスさせストレスを解消することができる。また、マイクによって飼い主の声をペットに聴かせてやってもよい。
【００１７】
また、スピーカを換気設備のファンの近傍に設置することで、スピーカから発する音声によってファンから発生する騒音をかき消すことができ、室内をより快適にすることができる。
【００１８】
また、従来、犬の無駄吠えをなくすための躾を行う際に、犬をペット用防音室に入れてやることで落ち着かせて無駄吠えを止めさせるといった手法で躾を行うことがあったが、躾の際に本発明のペット用防音室によって犬がリラックスできる音楽を聞かせてやることで、効果的に犬の無駄吠えを止めさせるようにすることができる。
【発明を実施するための最良の形態】
【００１９】
以下、本発明の一実施形態を図面に基づいて説明する。
［ペット用防音室の構成］
図１は、本発明の一実施形態であるペット用防音室１の斜視図である。
【００２０】
本実施形態のペット用防音室１の主要な構成部分である防音室本体１０は、防音機能を有する部材で構成されており、防音室本体１０の上部を覆う屋根１１、同じく両側面及び背面を覆う側壁１２、床、防音室本体１０の前側に設けた親扉１３及び子扉１４からなる箱体の防音室である。なお、ここでは防音室本体１０の親扉１３及び子扉１４を設けた面を前面とし、その反対側を背面、屋根１１側を上面とし、床側を底面とする。そして、側面については、前面に向かって左を左側面、右を右側面と定義する。
【００２１】
親扉１３は、ペットが出入りするための出入口となる扉であり、蝶番１７を軸とした片開きの扉である。親扉１３は、鋼板製の枠にガラス又は樹脂製の透明窓を嵌めた構成となっており、この透明窓によって外側及び内側からの良好な視界を確保している。また、親扉１３には、閉めた扉が開かないようにするための掛け金であるラッチ１５が設けられている。このラッチ１５は、親扉１３の前面に設けられたラッチハンドル５１（図示なし）を操作することで親扉１３の側面から出入りするように構成されており、親扉１３の開閉はこのラッチハンドル５１の操作によって行う。そして、親扉１３は中側からは開かないようになっており、防音室内にいるペットが勝手に中から抜け出さないようになっている。なお、蝶番１７は抜き差し可能ないわゆる抜き差し蝶番であり、それにより親扉１３は必要応じて防音室本体１０から着脱可能に構成されている。
【００２２】
子扉１４は、常時は閉めたまま使用される扉であり、防音室内の清掃やペット用トイレの出し入れ等の作業を行う際にこれを親扉１３と共に開放することで防音室本体１０の前面の開口を大きくとることができ、これらの作業を容易に行うことができる。また、子扉１４は、親扉１３と同様に鋼板製の枠にガラス又は樹脂製の透明窓を嵌めた構成となっている。そして、防音室本体１０の前面左側に設けた蝶番（図示なし）を軸に片開き可能であるが、常時はフランス落し（図示なし）等によって固定されて開かないようになっており、開放するときにはこのフランス落しを解除してから扉を開放する。また、子扉１４には、親扉１３を閉めたときにラッチ１５と係合することで親扉１３が開かないようにするための金具であるラッチ受け１６が設けられている。なお、子扉１４は、親扉１３と同様に抜き差し蝶番によって着脱可能に構成されている。
【００２３】
マグネットパッキン１８は、防音室本体１０の前面の開口の縁に沿って帯状に設けられ、且つ、親扉１３及び子扉１４を閉めた際、扉の鋼板部分の内側に位置するように設けられたパッキンであり、磁性ゴム等によって構成される。マグネットパッキン１８は、扉の内側の鋼板部分を磁力によって吸着することで密閉性を高め、防音効果を向上させている。
【００２４】
親扉１３の内側には、親扉１３と同様に片開き可能な金属製の柵からなるセーフティゲート１９が設けられている。このセーフティゲート１９は、ペットの鳴き声等の音を遮る必要がない場合、親扉１３を開放したままペット用防音室１を使用できるように、通気性を確保しつつペットが外に出るのを制限するための扉として機能するものである。また、セーフティゲート１９は、親扉１３及び子扉１４と同様に抜き差し可能な蝶番によって、必要に応じて防音室本体１０から着脱可能に構成されている。
【００２５】
床の底面の四隅にはキャスター２０が設けられており、これにより移動や運搬が容易になっている。また、キャスター２０は、ブレーキ機能を備えており、移動・運搬時以外はこのブレーキをかけておくことでペット用防音室１を安定した状態で設置することができる。
【００２６】
屋根１１の前面側中央部に設けられた収納部２３は、小物を収納するための収納スペースであり、屋根１１の前面側の中央部に設けた蓋を開くことで屋根１１内のスペースに小物を収納することができる（図２（ｂ）の断面図参照）。
【００２７】
また、屋根１１に前面側には、防音室内の換気を行うためのファン３０（図２（ａ）の断面図参照）を操作するためのスイッチ部２１及び防音室内の温度をデジタルで表示するための温度表示部２２が備えられている。スイッチ部２１は、ファン３０の電源点滅用のスイッチである電源スイッチ２１ａ及びファン３０による換気の強弱を切り換えるためのスイッチである切換スイッチ２１ｂで構成される。なお、ファン３０の電源には、家庭などで一般的に供給される単相１００ボルトの交流電源が用いられる。
【００２８】
屋根１１の前面側下方に設けられたラッチ解除プッシュロッド２４及び扉開放プッシュロッド２５は、後述の扉開放装置５０を構成する棒状の部材あり、常時は屋根１１の下部の防音室本体１０の内部に収納されている。ラッチ解除プッシュロッド２４の先端は、子扉１４の上部裏側に位置するように設けられ、扉開放プッシュロッド２５の先端は、親扉１３の上部左側寄りの裏側に位置するように設けられている。そして、停電によってファン３０が停止したときに、まずラッチ解除プッシュロッド２４が前方へ突出することで、子扉１４の内部に設けられたラッチ受け１６を子扉１４の内部に収納するための機構に作用してこのラッチ受け１６を収納させ、ラッチ１５とラッチ受け１６との係合を解除する（以下、単にラッチを解除するともいう。）。次に、ラッチ解除プッシュロッド２４に少し遅れて扉開放プッシュロッド２５が前方へ突出することで、ラッチを解除した親扉１３を内側から押圧して親扉１３を開放する。このようにすることで、停電時にファン３０が停止して防音室内の強制換気が行われなくなった場合であっても、親扉１３を開放することで防音室内の快適性を保つのに十分な換気量を自然換気によって確保することができる。このとき、セーフティゲート１９を閉めておくことで、親扉１３が開放されたときにペットが外に出るのを防ぐことができるし、セーフティゲート１９を外しておくことで、親扉１３が開放されたときにペットが自由に出入りできるようにすることも可能であり、飼い主の都合によって使い分けることができる。なお、扉開放装置５０の構成及び作動の詳細な説明については後述する。
【００２９】
図２は、実施形態のペット用防音室１の左側面断面図であり、（ａ）はペット用防音室１の中央部よりやや左側より部分の全体断面図で、（ｂ）は収納部２３部分の断面図である。
【００３０】
防音室内には、防音室内の天井を形成する天井パネル２６、防音室内の右側面下部に位置する強制換気のための吸気ガラリ２７、天井パネル２６面に位置する強制換気のための排気ガラリ２８が設けられている。また、天井パネル２６と屋根１１との間は空洞（以下、この空洞を天井内ともいう。）が設けられており、この天井内及び子扉１４の内部には停電時に親扉１３を開放するための装置である扉開放装置５０が設けられている。
【００３１】
屋根１１の内部は中空になっており（以下、この中空部分を屋根内ともいう）、屋根内には収納部２３、防音室内の強制換気を行うためのファン３０、防音室内に対して音声を出力するためのスピーカ３１、スピーカ３１に接続するスピーカケーブル３２を備えることができるようになっている。
【００３２】
ファン３０が作動すると、ファン３０が発生させる圧力により、防音室内の空気が排気ガラリ２８を通じて防音室内から排出されて天井内へ流入し、さらに天井内の空気はファン３０に吸引され屋根内に流入し、そのまま屋根内を前方へ向かって流通して屋根１１の前面側の下面に設けた排気口２９から排出される。同時に、ファン３０の圧力により吸気ガラリ２７より外気が防音室内に流入する。このようにしてファン３０による防音室内の強制換気が行われる。このとき、防音室内の臭いが外部に放出されるのを防ぐために、天井内又は屋根内における排気の流通経路に脱臭装置や消臭剤を設けてもよい。
【００３３】
スピーカ３１は、ファン３０に近接した位置でかつ、天井パネル２６に設けられた排気ガラリ２８の上方に位置するように配置されている。スピーカ３１をファン３０に近接させて配置することにより、ファン３０の作動時に発生する騒音をスピーカ３１から出力される音声によってかき消すことができる。また、スピーカ３１が排気ガラリ２８の上方に位置することで、スピーカ３１が出力した音声を排気ガラリ２８を通して防音室内に流すことができる。即ち、排気ガラリ２８が、いわゆるスピーカ用のパンチングパネルの機能を兼ねており、これにより天井パネル２６にパンチングパネルを別途設ける必要がない。なお、ファン３０の作動時に発生する騒音が、排気ガラリ２８を通して防音室内へ流入しやすいという観点から、排気ガラリ２８とスピーカ３１との距離が排気ガラリ２８とファン３０との距離よりも短くなるような位置にスピーカ３１を配置し、スピーカ３１から出力する音声によってファン３０から発生する騒音をかき消すようするとよい。
【００３４】
スピーカケーブル３２の先端にはスピーカジャック３３が接続されており、このスピーカジャック３３は収納部２３の内壁面に固定されている（図２（ｂ）参照）。これによって外部のオーディオ装置からのスピーカケーブルとの接続が可能であり、オーディオ装置で再生される音楽等の音声をスピーカ３１によって防音室内に出力することができる。また、オーディオ装置が小型のポータブルプレーヤ等の場合は、オーディオ装置自体を収納部２３に収納することができる。その際、収納部２３の内壁面にオーディオ装置に電源を供給するためのコンセントを設けてもよい。
【００３５】
［電気回路の構成］
図３は、実施形態のペット用防音室１のファン３０系統の電気回路及びアクチュエータ部３４系統の電気回路を示す配線図である。
【００３６】
ファン３０系統の電気回路は、電源スイッチ２１ａ、切換スイッチ２１ｂ、ファン３０、コンセントプラグ３５、電磁接触器３６の接点駆動用コイル３６ａ及びこれらを電気的に接続する配線からなる。ここでいう電磁接触器３６とは、接点駆動用コイル３６ａに通電することで発生する磁力によって接点を駆動する継電器である。なお、接点駆動用コイル３６ａによって駆動される接点には、接点駆動用コイル３６ａに通電時に接点が閉じるメーク接点（Ａ接点）と通電時に接点が開くブレーク接点（Ｂ接点）とがある。
【００３７】
一方、アクチュエータ部３４系統の電気回路は、扉開放装置５０の動力源であり電磁ソレノイド等からなるアクチュエータ部３４、電磁接触器３６のＢ接点である接点３６ｂ、アクチュエータ部３４の電源であるリチウム電池３７、リミットスイッチ３８、電源スイッチ２１ａと機械的に連動する連動スイッチ３９及びこれらを電気的に接続する配線からなる。ここでいうリミットスイッチ３８とは、リミットスイッチ３８の操作部が機械の可動部によって作動され、この操作部が所定の位置に達したとき接点を作動するスイッチである。ここでは、機械の可動部による作用がない状態では接点が開いており、機械の可動部の作用によって操作部が所定の位置に作動された場合に接点を閉じるスイッチが用いられる。そして、リミットスイッチ３８の操作部が扉開放装置５０の可動部に従動する位置に設けられており、扉開放装置５０が作動する前の状態（即ち、常時）では接点が閉じる位置（オン位置）に操作部がセットされ、扉開放装置５０が作動した後の状態では操作部が開放されて接点が開く位置（オフ位置）になるように設けられている。
【００３８】
コンセントプラグ３５は、電源コード（図示なし）と共に、防音室本体１０の外方へ延出しており、これを電源コンセントに挿入することでファン３０の回路へ電力が供給される。そして、屋根１１に設けられたスイッチ部２１の電源スイッチ２１ａをオンにすると、ファン３０へ通電されファン３０が作動する。また、切換スイッチ２１ｂによってファン３０の出力の強弱を切り換えることで換気の強弱の切り換えを行う。また、電源スイッチ２１ａをオンにすることで、電磁接触器３６の接点駆動用コイル３６ａにも通電され、その磁力によって接点３６ｂが開放される。さらに、電源スイッチ２１ａのオン操作に連動して連動スイッチ３９がオンにされる。
【００３９】
ファン３０に通電時、アクチュエータ部３４側の回路では、電磁接触器３６の接点３６ｂが開（オフ）、リミットスイッチ３８が閉（オン）、連動スイッチ３９が閉（オン）となっており、アクチュエータ部３４には通電されないので扉開放装置５０は作動しない。この状態がいわゆる平常時であり、ファン３０が作動することで防音室内の強制換気が行われる。
【００４０】
ファン３０が作動中に停電によってコンセントから電源が供給されなくなると、電磁接触器３６の接点駆動用コイル３６ａへの通電が切断され、接点３６ｂが閉じて（オン）、アクチュエータ部３４に通電される。そして、アクチュエータ部３４によって扉開放装置５０が作動し、ラッチ解除プッシュロッド２４及び扉開放プッシュロッド２５の作用によって親扉１３が開放され自然換気が可能になる。扉開放装置５０の動作後、リミットスイッチ３８の接点が開放され、アクチュエータ部３４への通電が切断される。
【００４１】
一方、電源スイッチ２１ａがオフである場合、電源スイッチ２１ａに連動する連動スイッチ３９もオフであるため、扉開放装置５０は作動しない。
［扉開放装置５０の構成及び作動］
図４は、実施形態のペット用防音室１の扉開放装置５０の詳細図であり、（ａ）は防音室本体１０の上側から見た平面詳細図、（ｂ）は防音室本体１０の前側から見た立面詳細図である。
【００４２】
屋根１１の下方の天井内には、ラッチ解除プッシュロッド２４及び扉開放プッシュロッド２５を作動させるための一連の機構が収納されている。この機構は、ラッチ解除プッシュロッド２４、扉開放プッシュロッド２５、アクチュエータ部３４、リミットスイッチ３８、第１ロッドストッパ４０、第２ロッドストッパ４１、第１スプリング４２、第２スプリング４３及びその他部材からなる。
【００４３】
扉開放装置５０が作動していない通常時において、ラッチ解除プッシュロッド２４は、先端部が内部に収納されており、第１スプリング４２によって防音室本体１０の前方へ突出する方向へ付勢された状態で、ラッチ解除プッシュロッド２４の膨隆部で第１ロッドストッパ４０の左端部によって係止されている。第１ロッドストッパ４０は、その右端部がアクチュエータ部３４の可動部に接続されており、この可動部に従動して左右に移動可能で、これが右方向へ移動することでラッチ解除プッシュロッド２４の膨隆部との係合が解除されるように構成されている。
【００４４】
同じく扉開放装置５０が作動していない通常時において、扉開放プッシュロッド２５は、先端部が内部に収納されており、第２スプリング４３によって防音室本体１０の前方へ突出する方向へ付勢された状態で、扉開放プッシュロッド２５の膨隆部で第２ロッドストッパ４１の一端によって係止されている。この状態で扉開放プッシュロッド２５の後端部によってリミットスイッチ３８の可動部が押圧されてオン位置に保持されている。第２ロッドストッパ４１は、他端にあるシャフトを軸にして左右に回転可能である。一方、第１ロッドストッパ４０は、扉開放プッシュロッド２５の付近で互いに干渉しないように屈曲部を設けることで扉開放プッシュロッド２５の下側へかわしている。第１ロッドストッパ４０がアクチュエータ部３４の可動部に従動して右方向に移動し、ラッチ解除プッシュロッド２４の膨隆部との係合が解除されてからもさらに右方向に移動すると、第１ロッドストッパ４０の屈曲部が第２ロッドストッパ４１と係合する。そして、第２ロッドストッパ４１は、そのまま第１ロッドストッパ４０に従動して右方向へ移動するように構成されている。第２ロッドストッパが右方向へ移動することで扉開放プッシュロッド２５の膨隆部との係合が解除される。なお、アクチュエータ部３４作動時の各部の移動方向を図中に矢印で示したので参照にされたい。
【００４５】
一方、子扉１４の上部及び右側の内部には、ラッチ解除プッシュロッド２４の作動を受けてラッチを解除するための一連の機構が設けられており、この機構は、ロッド受け４４、ベルクランク４５，４６，４７、リンクロッド４８，４９、ラッチ受け１６及びその他部材からなる。
【００４６】
ロッド受け４４は、ラッチ解除プッシュロッド２４が突出した際にその先端部によって押圧される位置に設けられており、ラッチ解除プッシュロッド２４に押圧されることで前方へ移動する。そして、ロッド受け４４が前方へ移動すると、ベルクランク４５，４６，４７及びそれぞれを連結するリンクロッド４８、４９がロッド受け４４の作動を伝達する。そして、ベルクランク４７の回転に従動してラッチ受け１６が下端部のシャフトを軸に回転し、ラッチ受け１６が子扉１４に収納されるように構成されている。なお、ラッチ解除プッシュロッド２４突出時の各部の移動方向を図中に矢印で示したので参照にされたい。
【００４７】
停電によりファン３０側の電気回路への通電が停止すると、アクチュエータ部３４に電源が通電され、アクチュエータ部３４が作動する。アクチュエータ部３４の作動によりラッチ解除プッシュロッド２４の膨隆部と第１ロッドストッパとの係合が解除され、第１スプリング４２によって付勢されていたラッチ解除プッシュロッド２４は、第１スプリング４２の弾性力によって防音室本体１０の前方へ突出する。ラッチ解除プッシュロッド２４の膨隆部と第１ロッドストッパとの係合が解除された後、扉開放プッシュロッド２５の膨隆部と第２ロッドストッパ４１との係合が解除され、第２スプリング４３によって付勢されていた扉開放プッシュロッド２５は、第２スプリング４３の弾性力によって防音室本体１０の前方へ突出する。扉開放プッシュロッド２５が突出すると、リミットスイッチの可動部がオフ位置への戻り、アクチュエータ部３４系統の電気回路が遮断される。
【００４８】
ラッチ解除プッシュロッド２４が突出してその先端がロッド受け４４を押圧しロッド受け４４が前方へ移動すると、ベルクランク４５，４６，４７及びそれぞれを連結するリンクロッド４８、４９がロッド受け４４の作動を伝達し、ラッチ受け１６が子扉１４の内部へ収容される。こうして、ラッチ受け１６と親扉１３のラッチ１５との係合が解除される。そして、ラッチ解除プッシュロッド２４が突出してから遅れて突出してきた扉開放プッシュロッド２５によって親扉１３を前方へ押圧することで、ラッチが解除された親扉１３が開放される。ここで、第２スプリング４３によって付勢された扉開放プッシュロッド２５が勢いよく突出することで、マグネットパッキン１８に吸着されている親扉１３がマグネットパッキン１８の吸引力から離脱して大きく開放される。
【００４９】
以上、本実施形態のペット用防音室１の構成及び作動について説明したが、本実施形態のペット用防音室１の構成と特許請求の範囲に記載した構成との対応は次の通りである。即ち、本実施形態の親扉１３が特許請求の範囲における可開部に相当し、電磁接触器３６が検出手段に相当し、扉開放装置５０が開放手段に相当する。
【００５０】
［効果］
本実施形態のペット用防音室１によれば、以下のような効果を奏する。
即ち、強制換気を行うためのファン３０が作動中に停電になった場合、停電を検知し自動的に親扉１３を開放して自然換気を行い、防音室内の快適性を保つことができる。これによって、ペットにとってより快適で、飼い主にとっても安心できる信頼性の高いペット用防音室を実現できる。
【００５１】
また、防音室内に対して音声を出力するためのスピーカ３１を備えることができるので、オーディオ装置で再生した音楽等をペットに聴かせてやることもできる。例えば、ペットとその飼い主とが共にリラックスできる音楽を収録した音楽用ＣＤを再生してペット用防音室で聴かせてやることで、ペットをリラックスさせストレスを解消することができる。また、スピーカを換気設備のファンの近傍に設置することで、スピーカから発する音声によってファンから発生する騒音をかき消すことができ、室内をリラクゼーションにより適した環境にすることができる。
【００５２】
［別実施形態］
以上、本発明の実施形態について説明したが、本発明の実施形態は上記の実施形態に何ら限定されるものではなく、本発明の技術的範囲に属する限り様々な態様にて実施することが可能である。
【００５３】
例えば、ファンの故障により強制換気が停止した場合に親扉を開放するように構成してもよい。具体的には、ファン系統の電気回路にサーマルリレーを設置し、ファンの故障により回路に過電流が流れた際、このサーマルリレーによって回路を遮断し、サーマルリレーの作動をトリガとして扉開放装置を作動させて親扉を開放するように構成する。あるいは、ファンの羽の回転を検知するセンサ等を設け、ファンの電源がオンであるのも関わらずファンが停止した場合にセンサからのトリガを受け扉開放装置を作動させるように構成してもよい。
【００５４】
また、ファンの作動の有無に関わらず、防音室内の温度が所定値以上になった場合に親扉を開放するように構成してもよい。具体的には、温度センサ等で防音室内の温度を監視して、ペットにとって不快な温度になる手前の温度に達したときに扉開放装置を作動させて親扉を開放するように構成する。
【００５５】
また、自然換気を行うために開放する換気口としては、上記実施例の親扉１３以外にも、防音室本体の側壁に窓や自然換気用の吸気ガラリ等を設けて、それらを開放するように構成してもよいし、屋根を上方へ跳ね上げて開放し、そこから自然換気を行うよう構成してもよい。
【図面の簡単な説明】
【００５６】
【図１】本発明のペット用防音室の実施形態を示す斜視図である。
【図２】実施形態のペット用防音室の左側面断面図である。
【図３】実施形態のペット用防音室の電気回路の配線図である。
【図４】実施形態のペット用防音室の扉開放装置の詳細図であり、（ａ）は平面詳細図、（ｂ）は立面詳細図である。
【符号の説明】
【００５７】
１…ペット用防音室、１０…防音室本体、１１…屋根、１２…側壁、１３…親扉、１４…子扉、１５…ラッチ、１６…ラッチ受け、１７…蝶番、１８…マグネットパッキン、１９…セーフティゲート、２０…キャスター、２１…スイッチ部、２１ａ…電源スイッチ、２１ｂ…切替スイッチ、２２…温度表示部、２３…収納部、２４…ラッチ解除プッシュロッド、２５…扉開放プッシュロッド、２６…天井パネル、２７…吸気ガラリ、２８…排気ガラリ、２９…排気口、３０…ファン、３１…スピーカ、３２…スピーカケーブル、３３…スピーカジャック、３４…アクチュエータ部、３５…コンセントプラグ、３６…電磁接触器、３６ａ…接点駆動用コイル、３６ｂ…接点、３７…リチウム電池、３８…リミットスイッチ、３９…連動スイッチ、４０…第１ロッドストッパ、４１…第２ロッドストッパ、４２…第１スプリング、４３…第２スプリング、４４…ロッド受け、４５，４６，４７…ベルクランク、４８，４９…リンクロッド、５０…扉開放装置、５１…ラッチハンドル
【図１】
2006158271.tif 000003
【図２】
2006158271.tif 000004
【図３】
2006158271.tif 000005
【図４】
2006158271.tif 000006